(57)【要約】      （修正有）【課題】本発明の目的は径の異なる配管への係止装着状態が良好で、しかも、見映えをも良く装着することができる合成樹脂製配管用防虫キャップを提供する。【解決手段】合成樹脂製配管用防虫キャップＣは、配管Ｐの先端に装着され、配管Ｐから排水される流体の流れを許容し、配管Ｐ内へ侵入する虫を阻止する合成樹脂製配管用防虫キャップＣであって、本体１と、この本体１に立設して設けられた複数の立設部１１を環状に配置した第１の立設部群Ｇ１と、本体１に立設して設けられた複数の立設部を環状に配置した第２の立設部群とを備え、第２の立設部群は、第１の立設部群Ｇ１の内側に位置し、第２の立設部群の複数の立設部の外側に１２Ｔが、第１の立設部群Ｇ１の複数の立設部１１の内側に１１Ｔが、それぞれ設けられ、配管Ｐの直径Ｄの場合、配管Ｐの外壁に１１Ｔが係止し、配管Ｐの直径ｄ（Ｄ＞ｄ）の場合、配管Ｐの内壁に１２Ｔが係止するものである。【選択図】図４
2020130005.tif 000002
【特許請求の範囲】
【請求項１】
配管の先端に装着され、前記配管から排水される流体の流れを許容し、前記配管内へ侵入する虫を阻止する合成樹脂製配管用防虫キャップであって、
本体と、
この本体に立設して設けられた複数の立設部を環状に配置した第１の立設部群と、
前記本体に立設して設けられた複数の立設部を環状に配置した第２の立設部群とを備え、
前記第２の立設部群は、前記第１の立設部群の内側に位置し、
前記第２の立設部群の複数の立設部の外側に外側凸が、前記第１の立設部群の複数の立設部の内側に内側凸が、それぞれ設けられ、
前記配管の直径Ｄの場合、前記配管の外壁に内側凸が係止し、前記配管の直径ｄ（Ｄ＞ｄ）の場合、前記配管の内壁に外側凸が係止する
ことを特徴とする合成樹脂製配管用防虫キャップ。
【請求項２】
本体は、外側から内側に向かって、少なくとも、第１の環状体、第２の環状体を有し、
第１の立設部群は、前記第１の環状体に立設して設けられ、
第２の立設部群は、前記第２の環状体に立設して設けられ、
前記第１の環状体と前記第２の環状体を複数の第１の接続体で接続し、
前記複数の第１の接続体の内、隣接する第１の接続体の間に排水通路となる第１の空間が形成されている
ことを特徴とする請求項１記載の合成樹脂製配管用防虫キャップ。
【請求項３】
第１の立設部群を構成する複数の立設部の長手方向は、装着される配管に向かって下り勾配に傾斜し、
第２の立設部群を構成する複数の立設部の長手方向は、装着される配管に向かって上がり勾配に傾斜している
ことを特徴とする請求項１又は請求項２記載の合成樹脂製配管用防虫キャップ。
【請求項４】
第１の環状体は、第１の多角形の環状体であり、
第２の環状体は、第２の多角形の環状体であり、
第１の立設部群は、前記第１の多角形の環状体の外周部に沿って立設して設けられ、
第２の立設部群は、前記第２の多角形の環状体の外周部に沿って立設して設けられている
ことを特徴とする請求項２記載の合成樹脂製配管用防虫キャップ。
【請求項５】
配管は、エアコンの蒸発器で生じるドレンを室外に導くエアコン蛇腹ドレンホースであり、
前記エアコン蛇腹ドレンホースの外壁の凸部に内側凸が係止し、前記エアコン蛇腹ドレンホースの内壁の凸部に外側凸が係止する
ことを特徴とする請求項１記載の合成樹脂製配管用防虫キャップ。
【発明の詳細な説明】
【技術分野】
【０００１】
本発明は、合成樹脂製配管用防虫キャップに係り、特に、径の異なる配管への係止装着状態が良好で、しかも、見映えをも良く装着することができる合成樹脂製配管用防虫キャップに関する。
【背景技術】
【０００２】
配管の先端に装着され、前記配管（例えば、エアコンの蒸発器で生じるドレンを室外に導くエアコン蛇腹ドレンホース）から排水される流体の流れを許容し、前記配管内へ侵入する虫を阻止する配管用防虫キャップがある（特許文献１）。
【先行技術文献】
【特許文献】
【０００３】
【特許文献１】意匠登録１２９２８１２号公報
【発明の概要】
【発明が解決しようとする課題】
【０００４】
上記配管用防虫キャップは、虫の侵入を防止する多数の小孔が形成されている浅底で筒状のキャップ底部と、これの周縁に周方向に沿って一定ピッチで一体形成されている多数の把持板部とから形成され、配管の管端に対して、キャップ底部が管端口に近接又は当接する状態にまで嵌め込むことにより、管端部分を各把持板部によって取り囲む状態に把持して配管に装着可能になっている。
上記配管用防虫キャップを、例えば、配管の直径（例えば、１４ｍｍ）に合致するように作れば、径の異なる配管、例えば、直径が１６ｍｍの配管に装着した場合、多数の把持板部が外方に向かって広がり見映えも悪く、しかも、配管との装着状態も良好でないという問題点が生じた。
【０００５】
本発明は、上記の問題点を考慮してなされた合成樹脂製配管用防虫キャップを提供することにある。
【課題を解決するための手段】
【０００６】
請求項１記載の合成樹脂製配管用防虫キャップは、配管の先端に装着され、前記配管から排水される流体の流れを許容し、前記配管内へ侵入する虫を阻止する合成樹脂製配管用防虫キャップであって、本体と、この本体に立設して設けられた複数の立設部を環状に配置した第１の立設部群と、前記本体に立設して設けられた複数の立設部を環状に配置した第２の立設部群とを備え、前記第２の立設部群は、前記第１の立設部群の内側に位置し、前記第２の立設部群の複数の立設部の外側に外側凸が、前記第１の立設部群の複数の立設部の内側に内側凸が、それぞれ設けられ、前記配管の直径Ｄの場合、前記配管の外壁に内側凸が係止し、前記配管の直径ｄ（Ｄ＞ｄ）の場合、前記配管の内壁に外側凸部が係止するものである。
【０００７】
また、請求項２記載の合成樹脂製配管用防虫キャップは、請求項１記載の合成樹脂製配管用防虫キャップにおいて、本体は、外側から内側に向かって、少なくとも、第１の環状体、第２の環状体を有し、第１の立設部群は、前記第１の環状体に立設して設けられ、第２の立設部群は、前記第２の環状体に立設して設けられ、前記第１の環状体と前記第２の環状体を複数の第１の接続体で接続し、前記複数の第１の接続体の内、隣接する第１の接続体の間に排水通路となる第１の空間が形成されているものである。
【０００８】
また、請求項３記載の合成樹脂製配管用防虫キャップは、請求項１又は請求項２記載の合成樹脂製配管用防虫キャップにおいて、第１の立設部群を構成する複数の立設部の長手方向は、装着される配管に向かって下り勾配に傾斜し、第２の立設部群を構成する複数の立設部の長手方向は、装着される配管に向かって上がり勾配に傾斜しているものである。
【０００９】
また、請求項４記載の合成樹脂製配管用防虫キャップは、請求項２記載の合成樹脂製配管用防虫キャップにおいて、第１の環状体は、第１の多角形の環状体であり、第２の環状体は、第２の多角形の環状体であり、第１の立設部群は、前記第１の多角形の環状体の外周部に沿って立設して設けられ、第２の立設部群は、前記第２の多角形の環状体の外周部に沿って立設して設けられているものである。
【００１０】
また、請求項５記載の合成樹脂製配管用防虫キャップは、請求項１記載の合成樹脂製配管用防虫キャップにおいて、配管は、エアコンの蒸発器で生じるドレンを室外に導くエアコン蛇腹ドレンホースであり、前記エアコン蛇腹ドレンホースの外壁の凸部に内側凸が係止し、前記エアコン蛇腹ドレンホースの内壁の凸部に外側凸が係止するものである。
【発明の効果】
【００１１】
請求項１記載の合成樹脂製配管用防虫キャップによれば、配管の直径Ｄの場合、前記配管の外壁に内側凸が係止し、前記配管の直径ｄ（Ｄ＞ｄ）の場合、前記配管の内壁に外側凸部が係止するように対応して、１個の合成樹脂製配管用防虫キャップにより係止状態が良好で、しかも、見映えをも良く、加えて、前記配管の直径ｄ（Ｄ＞ｄ）の場合、前記配管の内壁に外側凸が係止するため、つまり、露出しない分、紫外線による劣化をも防止することができる。
【００１２】
また、請求項２記載の合成樹脂製配管用防虫キャップによれば、上述した請求項１記載の発明の効果に加え、本体は、外側から内側に向かって、少なくとも、第１の環状体、第２の環状体を有し、第１の立設部群は、前記第１の環状体に立設して設けられ、第２の立設部群は、前記第２の環状体に立設して設けられ、前記第１の環状体と前記第２の環状体を複数の第１の接続体で接続し、前記複数の第１の接続体の内、隣接する第１の接続体の間に排水通路となる第１の空間が形成されているため、本体の強度を図りながら排水通路を効率良く確保し、配管から排水される流体の流れを許容し、配管内へ侵入する虫を阻止することができる。
【００１３】
また、請求項３記載の合成樹脂製配管用防虫キャップによれば、上述した請求項１又は請求項２記載の発明の効果に加え、第１の立設部群を構成する複数の立設部の長手方向は、装着される配管に向かって下り勾配に傾斜し、第２の立設部群を構成する複数の立設部の長手方向は、装着される配管に向かって上がり勾配に傾斜しているため、立設部の部材の反発力を利用して、１個の合成樹脂製配管用防虫キャップにより係止状態を強くすることができる。
【００１４】
また、請求項４記載の合成樹脂製配管用防虫キャップによれば、上述した請求項２記載の発明の効果に加え、第１の立設部群は、第１の多角形の環状体の外周部に沿って立設して設けられ、第２の立設部群は、第２の多角形の環状体の外周部に沿って立設して設けられ、つまり、第１の立設部群を構成する複数の立設部の長手方向を横断する形状は、弧状ではなく直線状であり、第２の立設部群を構成する複数の立設部の長手方向を横断する形状は、弧状ではなく直線状であるため、弧状に比べ、配管への取り付けが容易である。
【００１５】
また、請求項５記載の合成樹脂製配管用防虫キャップによれば、上述した請求項１記載の発明の効果に加え、配管は、エアコンの蒸発器で生じるドレンを室外に導くエアコン蛇腹ドレンホースであり、前記エアコン蛇腹ドレンホースの外壁の凸部に内側凸が係止し、前記エアコン蛇腹ドレンホースの内壁の凸部に外側凸が係止するため、エアコン蛇腹ドレンホースの凸部を利用して合成樹脂製配管用防虫キャップを装着することができる。
【図面の簡単な説明】
【００１６】
【図１】図１は、本発明の一実施例の合成樹脂製配管用防虫キャップの斜視図である。
【図２】図２は、図１と反対側である配管への装着側から見た斜視図である。
【図３】図３は、図１の断面図である。
【図４】図４（ａ）は、図１の合成樹脂製配管用防虫キャップを直径ｄの配管［ドレンホース（エアコン蛇腹ドレンホース）］に装着した正面図であり、図４（ｂ）は、図４（ａ）の断面図である。
【図５】図５（ａ）は、図１の合成樹脂製配管用防虫キャップを図４と異なる直径Ｄの配管［ドレンホース（エアコン蛇腹ドレンホース）］に装着した正面図であり、図５（ｂ）は、図５（ａ）の断面図である。
【図６】図６は、図１の合成樹脂製配管用防虫キャップを図面化した正面図である。
【図７】図７は、図６の右側面図である。
【図８】図８は、図６の左側面図である。
【図９】図９は、図６の平面図である。
【図１０】図１０は、図６の底面図である。
【図１１】図１１は、図６の斜視図である。
【図１２】図１２は、図１１と反対側である配管への装着側から見た斜視図である。
【図１３】図１３は、図６のＡ−Ａ線による断面図である。
【図１４】図１４は、図１０のＢ−Ｂ線による断面図である。
【図１５】図１５は、図１０のＣ−Ｃ線による断面図である。
【図１６】図１６は、図１と異なる合成樹脂製配管用防虫キャップの斜視図である。
【図１７】図１７は、図１６と反対側である配管への装着側から見た斜視図である。
【図１８】図１８は、図１６の断面図である。
【図１９】図１９（ａ）は、図１６の合成樹脂製配管用防虫キャップを直径ｄの配管［ドレンホース（エアコン蛇腹ドレンホース）］に装着した正面図であり、図１９（ｂ）は、図１９（ａ）の断面図である。
【図２０】図２０（ａ）は、図１６の合成樹脂製配管用防虫キャップを図１９と異なる直径Ｄの配管［ドレンホース（エアコン蛇腹ドレンホース）］に装着した正面図であり、図２０（ｂ）は、図２０（ａ）の断面図である。
【図２１】図２１は、図１６と異なる合成樹脂製配管用防虫キャップの斜視図である。
【図２２】図２２は、図２１と反対側である配管への装着側から見た斜視図である。
【図２３】図２３は、図２１の断面図である。
【図２４】図２４（ａ）は、図２１の合成樹脂製配管用防虫キャップを直径ｄの配管［ドレンホース（エアコン蛇腹ドレンホース）］に装着した正面図であり、図２４（ｂ）は、図２４（ａ）の断面図である。
【図２５】図２５（ａ）は、図２１の合成樹脂製配管用防虫キャップを図２４と異なる直径Ｄの配管［ドレンホース（エアコン蛇腹ドレンホース）］に装着した正面図であり、図２５（ｂ）は、図２５（ａ）の断面図である。
【発明を実施するための形態】
【００１７】
本発明の一実施例の合成樹脂製配管用防虫キャップを図１乃至図１５を参照して説明する。
【００１８】
図１に示すＣは、配管Ｐ（図４及び図５）の先端に装着され、配管Ｐから排水される流体の流れを許容し、配管Ｐ内へ侵入する虫（例えば、ゴキブリ）を阻止する合成樹脂（例えば、ポリプロピレン）製配管用防虫キャップである。
配管Ｐは、例えば、エアコンの蒸発器（冷房時の室内側熱交換器）で生じるドレンを室外に導くエアコン蛇腹ドレンホースである。
【００１９】
また、図１に示す１は本体で、Ｇ１は、本体１に立設して設けられた複数の立設部１１を環状に配置した第１の立設部群で、Ｇ２は、本体１に立設して設けられた複数の立設部１２を環状に配置した第２の立設部群である。
第２の立設部群Ｇ２は、第１の立設部群Ｇ１の内側に位置し、第２の立設部群Ｇ２の複数の立設部１２の外側に外側凸１２Ｔが、第１の立設部群Ｇ１の複数の立設部１１の内側に内側凸１１Ｔが、それぞれ設けられ、配管Ｐの直径Ｄ（例えば、１６ｍｍ）の場合、配管Ｐの外壁に内側凸１１Ｔが係止し（図５参照）、配管Ｐの直径ｄ（例えば、１４ｍｍ  Ｄ＞ｄ）の場合、配管Ｐの内壁に外側凸１２Ｔが係止する（図４参照）。
【００２０】
即ち、配管Ｐの直径Ｄ（図５）の場合、配管Ｐの外壁に内側凸１１Ｔが係止し、配管Ｐの直径ｄ（図４）の場合、配管Ｐの内壁に外側凸１２Ｔが係止するように対応して、１個の合成樹脂製配管用防虫キャップＣにより係止状態が良好で、しかも、見映えをも良く、加えて、配管Ｐの直径ｄ（Ｄ＞ｄ）の場合、配管Ｐの内壁に外側凸１２Ｔが係止するため、つまり、露出しない分、紫外線による劣化をも防止することができる。
【００２１】
本体１は、図１及び図６に示すように、外側から内側に向かって、第１の環状体１０、第２の環状体２０、第３の環状体３０を有している。
第１の立設部群Ｇ１は、第１の環状体１０に立設して設けられ、第２の立設部群Ｇ２は、第２の環状体２０に立設して設けられている。そして、第１の環状体１０と第２の環状体２０を複数の第１の接続体２で接続し、第２の環状体２０と第３の環状体３０を複数の第２の接続体３で接続している。複数の第１の接続体２の内、隣接する第１の接続体２の間に排水通路となる第１の空間４が形成され、複数の第２の接続体２０の内、隣接する第２の接続体３の間に排水通路となる第２の空間５が形成されている。
そのため、本体１の強度を図りながら排水通路を効率良く確保し、配管Ｐから排水される流体の流れを許容し、配管Ｐ内へ侵入する虫を阻止することができる。
【００２２】
なお、図３、図４（ｂ）、図５（ｂ）、図１３に示すように、第１の立設部群Ｇ１を構成する複数の立設部１１の長手方向は、装着される配管Ｐに向かって下り勾配に傾斜し、第２の立設部群Ｇ２を構成する複数の立設部１２の長手方向は、装着される配管Ｐに向かって上がり勾配に傾斜している。
そのため、立設部１１、１２の部材の反発力を利用して、１個の合成樹脂製配管用防虫キャップＣにより係止状態を強くすることができる。
【００２３】
なお、上述した第１の環状体１０は、円形状でも良いが、望ましくは、図１、図６に示すように、第１の多角形の環状体であり、第２の環状体２０は、第１の環状体１０と同様に、円形状でも良いが、望ましくは、第２の多角形の環状体である。
そして、第１の立設部群Ｇ１は、第１の多角形の環状体１０の外周部に沿って立設して設けられ、第２の立設部群Ｇ２は、第２の多角形の環状体２０の外周部に沿って立設して設けられている。つまり、第１の立設部群Ｇ１を構成する複数の立設部１１の長手方向を横断する形状は、弧状ではなく直線状であり、第２の立設部群Ｇ２を構成する複数の立設部１２の長手方向を横断する形状は、弧状ではなく直線状であるため、弧状に比べ、配管Ｐへの取り付けが容易である。
また、本体は、外側から内側に向かって、第１の環状体１０、第２の環状体２０、第３の環状体３０を有しているが、本願発明にあっては、これに限らず、例えば、第３の環状体３０の中央の孔部を塞ぐようにしても良く、本願発明の本体１は、外側から内側に向かって、少なくとも、第１の環状体１０、第２の環状体２０を有していれば、良い。
【００２４】
また、配管Ｐは、望ましくは、図４及び図５に示すように、エアコンの蒸発器で生じるドレンを室外に導くエアコン蛇腹ドレンホースであり、エアコン蛇腹ドレンホースＰの外壁の凸部Ｐ１に内側凸１１Ｔが係止し［図５（ｂ）］、エアコン蛇腹ドレンホースＰの内壁の凸部Ｐ２に外側凸１１Ｔが係止する［図４（ｂ）］。
そのため、エアコン蛇腹ドレンホースＰの凸部Ｐ１、Ｐ２を利用して合成樹脂製配管用防虫キャップＣを装着することができる。
【００２５】
上述した実施例においては、第１の立設部群Ｇ１の立設部１１の長さと第２の立設部群Ｇ２の立設部１２の長さを同じ長さとしたが、本願発明にあっては、これに限らず、例えば、図１６乃至図２０に示すように、第１の立設部群Ｇ１の立設部１１の長さを第２の立設部群Ｇ２の立設部１２の長さより長くしても良いし、逆に、図２１乃至図２５に示すように、第１の立設部群Ｇ１の立設部１１の長さを第２の立設部群Ｇ２の立設部１２の長さより短くしても良い。
なお、図１６乃至図２０に示す実施例においては、図１乃至図１５に示す実施例と同一部分に同一符号を付して、その説明を省略する。また、図２１乃至図２５に示す実施例においては、図１乃至図１５に示す実施例と同一部分に同一符号を付して、その説明を省略する。
【符号の説明】
【００２６】
Ｃ      合成樹脂製配管用防虫キャップ
Ｐ      配管
Ｇ１    第１の立設部群
Ｇ２    第２の立設部群
Ｄ      直径
ｄ      直径（Ｄ＞ｄ）
１      本体
１１    立設部
１１Ｔ  内側凸
１２    立設部
１２Ｔ  外側凸
【図１】
2020130005.tif 000003
【図２】
2020130005.tif 000004
【図３】
2020130005.tif 000005
【図４】
2020130005.tif 000006
【図５】
2020130005.tif 000007
【図６】
2020130005.tif 000008
【図７】
2020130005.tif 000009
【図８】
2020130005.tif 000010
【図９】
2020130005.tif 000011
【図１０】
2020130005.tif 000012
【図１１】
2020130005.tif 000013
【図１２】
2020130005.tif 000014
【図１３】
2020130005.tif 000015
【図１４】
2020130005.tif 000016
【図１５】
2020130005.tif 000017
【図１６】
2020130005.tif 000018
【図１７】
2020130005.tif 000019
【図１８】
2020130005.tif 000020
【図１９】
2020130005.tif 000021
【図２０】
2020130005.tif 000022
【図２１】
2020130005.tif 000023
【図２２】
2020130005.tif 000024
【図２３】
2020130005.tif 000025
【図２４】
2020130005.tif 000026
【図２５】
2020130005.tif 000027